(57)【要約】【課題】水槽の外に除菌液が飛散することを抑制できる除菌液散布装置を提供する。【解決手段】除菌液散布装置１は、送出口１ａと、水槽２６と、超音波発生素子２３と、規制部５とを備える。水槽２６は、除菌液を収容する。水槽２６は、送出口１ａよりも上方に上端２６ｔが位置する。超音波発生素子２３は、除菌液に超音波振動を与えて、液面Ｌｓに対して傾斜するように除菌液の液柱Ｌｐを発生させる。規制部５は、除菌液が水槽２６の外に飛散することを規制する。超音波発生素子２３は、液柱Ｌｐを発生させることにより、霧を発生させる。【選択図】図３
2020115938.tif 000002
【特許請求の範囲】
【請求項１】
除菌液を散布する除菌液散布装置であって、
前記除菌液の霧の送出口と、
前記除菌液を収容し、上端が前記送出口よりも上方に位置する水槽と、
前記除菌液に超音波振動を与えて、前記除菌液の液面に対して傾斜するように前記除菌液の液柱を発生させる超音波発生素子と、
前記除菌液が前記水槽の外に飛散することを規制する規制部と
を備え、
前記超音波発生素子は、前記液柱を発生させることにより、前記霧を発生させる、除菌液散布装置。
【請求項２】
前記規制部は、前記液柱が傾斜する方向において前記液柱よりも下流側に設けられる、請求項１に記載の除菌液散布装置。
【請求項３】
前記規制部は、規制面を含み、
前記規制面は、前記液柱から落下する前記除菌液が前記水槽の外に飛散することを規制し、
前記規制面の下端は、前記液面の上方に位置し、
前記規制面の下端の少なくとも一部は、前記水槽の外縁よりも内側に位置する、請求項１又は請求項２に記載の除菌液散布装置。
【請求項４】
風を発生させる第１送風装置を更に備え、
前記規制部は、前記規制面を有する規制部材を含み、
前記規制部材は、前記液面側の端を有し、
前記第１送風装置は、前記端に向かう風を発生させる、請求項３に記載の除菌液散布装置。
【請求項５】
前記水槽を収容する収容部と、
前記収容部を支持する支持体と
を備え、
前記支持体は、前記水槽の外縁の一部と接触する本体部を有し、
前記本体部は、前記規制部として機能する、請求項１〜請求項３のいずれか１項に記載の除菌液散布装置。
【請求項６】
前記本体部に支持され、風を発生させる第１送風装置を更に備え、
前記第１送風装置は、前記液柱が傾斜する方向とは反対方向へ向かう風を発生させる、請求項５に記載の除菌液散布装置。
【請求項７】
空気を吸い込む吸込み口と、
前記空気を吹き出す吹出し口と、
請求項１〜請求項６のいずれか１項に記載の除菌液散布装置が装着される装着部と
を備え、
前記除菌液散布装置は、
前記規制部が配置される側の第１側部と、
前記第１側部とは反対側の第２側部と
を有し、
前記除菌液散布装置は、前記第１側部が、前記吸込み口側となるように、前記装着部に装着される、浴室環境調整装置。
【請求項８】
空気を吸い込む吸込み口と、
前記空気を吹き出す吹出し口と、
請求項１〜請求項６のいずれか１項に記載の除菌液散布装置が装着される装着部と
を備え、
前記除菌液散布装置は、
前記規制部が配置される側の第１側部と、
前記第１側部とは反対側の第２側部と
を有し、
前記装着部は、前記吹出し口のうち、前記空気を吹き出す方向と交差する方向において対向する２つの端部の一方よりも外側に配置され、
前記除菌液散布装置は、前記第２側部が前記吹出し口側となるように、前記装着部に装着される、浴室環境調整装置。
【請求項９】
前記空気を温風に変換する熱交換器と、
前記温風を前記除菌液散布装置へ送る第２送風装置と、
前記第２送風装置、及び前記超音波発生素子の動作を制御する制御装置と
を更に備え、
前記制御装置は、前記超音波振動を前記除菌液に与えて前記霧を発生させる除菌液散布処理を実行し、
前記除菌液散布処理が終了すると、除菌液乾燥処理を実行し、
前記除菌液乾燥処理において、前記制御装置は、前記第２送風装置を駆動させる、請求項７又は請求項８に記載の浴室環境調整装置。
【発明の詳細な説明】
【技術分野】
【０００１】
本発明は、除菌液散布装置及びそれを備えた浴室環境調整装置に関する。
【背景技術】
【０００２】
液体に超音波振動を照射することにより霧を発生させる技術が知られている。例えば、特許文献１には、霧化量を向上させることを目的とする超音波霧化ユニットが開示されている。特許文献１に開示の超音波霧化ユニットは、超音波振動子の振動面を水槽の底面に対して傾斜して配置する。
【先行技術文献】
【特許文献】
【０００３】
【特許文献１】実開昭６２−１４３１３１号公報
【発明の概要】
【発明が解決しようとする課題】
【０００４】
しかしながら、超音波振動子の振動面を水槽の底面に対して傾斜して配置させると、液柱が液面に対して傾斜して発生し、液柱から落下した液体の一部が水槽の外に飛散する虞がある。
【０００５】
本発明は上記課題に鑑みてなされたものであり、その目的は、水槽の外に除菌液が飛散することを抑制できる除菌液散布装置及び浴室環境調整装置を提供することにある。
【課題を解決するための手段】
【０００６】
本発明に係る除菌液散布装置は、除菌液を散布する。当該除菌液散布装置は、送出口と、水槽と、超音波発生素子と、規制部とを備える。水槽は、前記除菌液を収容する。前記水槽は、前記送出口よりも上方に上端が位置する。前記超音波発生素子は、前記除菌液に超音波振動を与えて、前記除菌液の液面に対して傾斜するように前記除菌液の液柱を発生させる。前記規制部は、前記除菌液が前記水槽の外に飛散することを規制する。前記超音波発生素子は、前記液柱を発生させることにより、前記霧を発生させる。
【発明の効果】
【０００７】
本発明によれば、水槽の外に除菌液が飛散することを抑制できる。
【図面の簡単な説明】
【０００８】
【図１】本発明の実施形態１に係る除菌液散布装置を示す図である。
【図２】本発明の実施形態１に係る除菌液散布装置の上面図である。
【図３】本発明の実施形態１に係る除菌液散布装置の断面図である。
【図４】本発明の実施形態１に係る除菌液散布装置のブロック図である。
【図５】本発明の実施形態１に係る制御装置が実行する処理を示すフローチャートである。
【図６】本発明の実施形態１に係る除菌液散布装置の第１他例の断面図である。
【図７】本発明の実施形態１に係る除菌液散布装置の第２他例の断面図である。
【図８】本発明の実施形態１に係る除菌液散布装置の第３他例の断面図である。
【図９】本発明の実施形態１に係る除菌液散布装置の第４他例の断面図である。
【図１０】本発明の実施形態１に係る除菌液散布装置の第５他例の断面図である。
【図１１】本発明の実施形態１に係る除菌液散布装置の第６他例の断面図である。
【図１２】本発明の実施形態２に係る除菌液散布装置の断面図である。
【図１３】本発明の実施形態２に係る除菌液散布装置の他例の断面図である。
【図１４】本発明の実施形態３に係る浴室環境調整装置の底面図である。
【図１５】本発明の実施形態３に係る浴室環境調整装置の構成を示す図である。
【図１６】本発明の実施形態３に係る本体ユニットの一部を拡大して示す図である。
【図１７】本発明の実施形態３に係る浴室環境調整装置の構成を示す図である。
【図１８】本発明の実施形態３に係る浴室環境調整装置のブロック図である。
【図１９】本発明の実施形態３に係る浴室環境調整装置の他例を示す図である。
【図２０】本発明の実施形態３に係る浴室環境調整装置の第１他例を示す底面図である。
【図２１】本発明の実施形態３に係る浴室環境調整装置の第２他例を示す底面図である。
【図２２】本発明の実施形態３に係る浴室環境調整装置の第３他例を示す底面図である。
【図２３】本発明の実施形態３に係る浴室環境調整装置の第４他例を示す底面図である。
【図２４】本発明の実施形態３に係る浴室環境調整装置の第５他例を示す底面図である。
【図２５】本発明の実施形態４に係る浴室環境調整装置を示す底面図である。
【図２６】本発明の実施形態４に係る浴室環境調整装置の第１他例を示す底面図である。
【図２７】本発明の実施形態４に係る浴室環境調整装置の第２他例を示す底面図である。
【図２８】本発明の実施形態５に係る浴室環境調整装置の構成を示すブロック図である。
【図２９】本発明の実施形態５に係る制御装置が実行する処理を示すフローチャートである。
【図３０】本発明の実施形態６に係る浴室環境調整装置の構成を示すブロック図である。
【図３１】本発明の実施形態６に係る制御装置が実行する処理を示すフローチャートである。
【図３２】本発明の実施形態７に係る除菌液散布装置の構成を示す断面図である。
【図３３】本発明の実施形態７に係る浴室環境調整装置の構成を示すブロック図である。
【図３４】本発明の実施形態７に係る制御装置が実行する処理を示すフローチャートである。
【図３５】本発明の実施形態８に係る制御装置が実行する処理を示すフローチャートである。
【図３６】本発明の実施形態９に係る除菌液散布装置の断面図である。
【発明を実施するための形態】
【０００９】
以下、図面を参照して本発明の実施形態を説明する。但し、本発明は以下の実施形態に限定されるものではない。なお、図中、同一又は相当部分については同一の参照符号を付して説明を繰り返さない。また、説明が重複する箇所についても適宜説明を省略する場合がある。
【００１０】
［実施形態１］
まず、図１を参照して、実施形態１に係る除菌液散布装置１について説明する。図１は、実施形態１に係る除菌液散布装置１を示す図である。除菌液散布装置１は、除菌液の霧を発生させて、例えば、浴室のような室内に除菌液を散布する。本実施形態において、除菌液散布装置１は、浴室に設置される。
【００１１】
図１に示すように、浴室は、天井部Ｃ及び壁面部Ｗを有する。天井部Ｃは、天井面ＣＳを有する、壁面部Ｗは、壁面ＷＳを有する。本実施形態において、除菌液散布装置１は、天井部Ｃの天井面ＣＳに設置される。
【００１２】
除菌液散布装置１は、第１ユニット１０と、第２ユニット２０とを備える。また、除菌液散布装置１は、開口１ａを有する。開口１ａは、第１ユニット１０と第２ユニット２０との間に形成される。開口１ａは、天井面ＣＳよりも下方に設けられる。除菌液の霧は、開口１ａの少なくとも一部から送出される。換言すると、開口１ａの少なくとも一部は、除菌液の霧の送出口として機能する。
【００１３】
開口１ａから送出された除菌液の霧は、第１矢印Ｄ１、及び第２矢印Ｄ２で示すように、天井面ＣＳに沿って水平方向へ流れる。また、天井面ＣＳに沿って浴室の壁面ＷＳまで導かれた除菌液の霧は、第３矢印Ｄ３で示すように、壁面ＷＳに沿って下方に流れる。
【００１４】
続いて、図２を参照して、実施形態１に係る除菌液散布装置１の構成について説明する。図２は、実施形態１に係る除菌液散布装置１の上面図である。
【００１５】
図２に示すように、第１ユニット１０は、送風装置１１と、支持体１２と、供給管１３と、水栓１４と、調整弁１５とを備える。送風装置１１は、第１送風装置の一例である。
【００１６】
送風装置１１は、風を発生させる。送風装置１１は、複数枚の羽根１１１と、ファンモータ１１２とを備える。ファンモータ１１２は、複数枚の羽根１１１を回転させる。本実施形態において、複数枚の羽根１１１は、上下方向に延びる軸心ＲＸを中心として回転する。換言すると、送風装置１１から発生する風の向きは、液面Ｌｓに対して略直交する。送風装置１１は、例えばＤＣファンである。送風装置１１がＤＣファンである場合、ファンモータ１１２の回転数の調整が容易となる。換言すると、送風装置１１の送風量の調整が容易となる。
【００１７】
支持体１２は、送風装置１１及び第２ユニット２０を支持する。本実施形態において、支持体１２は、本体部１２１と、複数の支持部材１２２とを備える。
【００１８】
本体部１２１は、送風装置１１を支持する。本体部１２１は、蓋体１２１ａを備える。蓋体１２１ａは、送風装置１１を支持する。本実施形態において、蓋体１２１ａは、上面視略矩形形状であり、送風装置１１を中央部において支持する。
【００１９】
複数の支持部材１２２は、本体部１２１から下方に向けて突出する。複数の支持部材１２２は、第２ユニット２０を着脱自在に支持する。複数の支持部材１２２の各々は、弾性力を有する。複数の支持部材１２２の各々は、第２ユニット２０に設けられた嵌合孔に嵌ることにより、第２ユニット２０を支持する。なお、開口１ａは本体部１２１の周囲に形成される。詳しくは、複数の支持部材１２２の間に開口１ａが形成される。
【００２０】
供給管１３は、第２ユニット２０に水を供給する。例えば、供給管１３は、水道水を供給する。水栓１４は、供給管１３に設けられる。水栓１４は開閉可能である。水栓１４が開状態である場合、供給管１３は水を供給することができる。水栓１４が閉状態である場合、供給管１３による水の供給が遮断される。本実施形態において、水栓１４は蓋体１２１ａに配置される。調整弁１５は、供給管１３に設けられる。調整弁１５については、図３を参照して後述する。
【００２１】
続いて図３を参照して、除菌液散布装置１について更に説明する。図３は、実施形態１に係る除菌液散布装置１の断面図である。詳しくは、図３は、図２のＩＩＩ−ＩＩＩ線に沿った断面を示す。図３に示すように、第１ユニット１０は、浴室の天井部Ｃに設置される。
【００２２】
続いて図３を参照して、第１ユニット１０について更に説明する。図３に示すように、支持体１２の本体部１２１は、下面が開放された箱形状を有し、蓋体１２１ａに加えて壁部１２１ｂを更に備える。壁部１２１ｂは、蓋体１２１ａの端部から下方に突出する。支持部材１２２は、壁部１２１ｂの下端部に接続する。送風装置１１は、本体部１２１の外側から吸い込んだ空気を、第２ユニット２０へ向けて送る。供給管１３は、支持体１２の蓋体１２１ａから第２ユニット２０の内部まで延びている。
【００２３】
続いて図３を参照して、第２ユニット２０について説明する。第２ユニット２０は、収容部２１と、電極対２２と、超音波発生素子２３と、水位センサー２４と、第１ガイド部材２５と、水槽２６とを備える。なお、開口１ａは、第１ガイド部材２５の上端と支持体１２の壁部１２１ｂとの間に形成される。
【００２４】
収容部２１は、上面が開放された箱形状を有する。本実施形態において、収容部２１は、上面視略矩形形状である。収容部２１の外形寸法は、水槽２６の外形寸法よりも大きい。収容部２１の外形形状は、水槽２６の外形形状と略同一である。収容部２１に水槽２６が収容されると、収容部２１と水槽２６との間に霧流通空間Ｓが形成される。本実施形態において、霧流通空間Ｓは、水槽２６の外縁に沿って均等に形成される。換言すると、水槽２６は、収容部２１の略真ん中に配置される。霧流通空間Ｓは、開口１ａと連通する。
【００２５】
水槽２６は、溶媒を収容する。本実施形態において溶媒は水Ｌである。水槽２６の上端２６ｔは、開口１ａよりも上方に位置する。水槽２６は、上面が開放された箱形状を有する。水槽２６は、上面視略矩形形状であって、４つの槽壁部を有する。４つの槽壁部は、水槽２６の外縁を構成する。なお、供給管１３は、４つの槽壁部（水槽２６）の内側まで延びている。
【００２６】
電極対２２は、溶媒（水Ｌ）に浸漬される。本実施形態において、電極対２２は、水槽２６の床面に配置される。電極対２２に電圧が印加されることにより、溶媒（水Ｌ）の中で除菌成分が生成される。この結果、溶媒（水Ｌ）と除菌成分とが混合された除菌液が水槽２６内で生成される。換言すると、水槽２６は除菌液を収容する。
【００２７】
本実施形態において、除菌成分は銀イオンである。具体的には、電極対２２を構成する各電極は、銀単体からなる金属プレートである。あるいは、各電極は、プレート状のチタン金属と、チタン金属の表面の一部又は全部に担持された銀とからなる金属プレートである。例えば、電極対２２を構成する各電極のプレートサイズを５ｍｍ×３０ｍｍ（厚さ０．３ｍｍ）とし、電極間距離を３ｍｍとし、収容部２１にｐＨ７．６、硬度４５ｍｇ／Ｌの水道水を１００ｍｌ収容した場合、電極対２２にＤＣ５Ｖの電圧を印加すると、１５０ｍＡ以上１７０ｍＡ以下の電流が電極間を流れて、陽極から銀イオンが溶出する。
【００２８】
超音波発生素子２３は、除菌液に超音波振動を与えて、除菌液の霧を発生させる。詳しくは、超音波発生素子２３は、圧電素子２３ａと、ベース部材２３ｂとを有する。圧電素子２３ａが、除菌液に超音波振動を与える。圧電素子２３ａは、振動面２３１を有する。ベース部材２３ｂは、水槽２６の床面に対して振動面２３１が傾斜するように圧電素子２３ａを支持する。水槽２６の底面に対する振動面２３１の第１傾斜角度α１は、例えば、７度以上１０度以下である。なお、超音波の周波数は、例えば、１．６ＭＨｚである。
【００２９】
本実施形態において、ベース部材２３ｂは、水槽２６の床面に配置される。ベース部材２３ｂは、収容空間２３２を有する。収容空間２３２は、上面が開放されている。圧電素子２３ａは、振動面２３１が収容空間２３２の上面側を向くように、収容空間２３２に配置される。また、圧電素子２３ａは、水槽２６の床面に対して振動面２３１が傾斜するように、収容空間２３２に配置される。具体的には、圧電素子２３ａが、水槽２６の床面に対して傾斜する姿勢となる。
【００３０】
詳しくは、ベース部材２３ｂは、収容空間２３２のうち、圧電素子２３ａの振動面２３１側とは反対側の部分に、水Ｌ及び除菌液が流入することが抑制されるように、圧電素子２３ａを支持する。以下、収容空間２３２のうち、圧電素子２３ａの振動面２３１側とは反対側の部分を、「圧電素子２３ａの裏側の空間」と記載する。例えば、ベース部材２３ｂは、収容空間２３２を構成する壁部に、圧電素子２３ａの外周部が嵌合する環状の溝部を有する。環状の溝部は傾斜しており、圧電素子２３ａの外周部が溝部に嵌合することにより、圧電素子２３ａが、傾斜した姿勢でベース部材２３ｂに支持される。また、圧電素子２３ａの外周部が溝部に嵌合することにより、圧電素子２３ａの裏側の空間に水Ｌ及び除菌液が流入することが抑制される。
【００３１】
超音波発生素子２３は、液中から液面Ｌｓに向けて超音波を照射する。この結果、音圧により液面Ｌｓに噴水状の液柱Ｌｐが液面Ｌｓに対して傾斜するように発生し、液柱Ｌｐから霧（除菌液の霧）が発生する。なお、液面Ｌｓに対する液柱Ｌｐの第２傾斜角度α２は、例えば、８０度以上８５度以下である。以下、液柱Ｌｐが傾斜する方向のうちの水平方向を「傾斜方向ＷＤ１」と記載する。
【００３２】
送風装置１１は、風を発生させる。本実施形態において、送風装置１１は、液面Ｌｓに向かう風を発生させることにより、液柱Ｌｐから発生する霧を霧流通空間Ｓへ向けて送る。この結果、霧が霧流通空間Ｓを通って、開口１ａから送出される。換言すると、除菌液が散布される。
【００３３】
なお、以下では、水槽２６が有する４つの槽壁部のうち、液柱Ｌｐが発生する箇所よりも傾斜方向ＷＤ１の下流側に位置する槽壁部を「第１槽壁部２６１」とし、第１槽壁部２６１に対して液柱Ｌｐを挟んで対向する槽壁部を「第２槽壁部２６２」として実施形態を説明する。また、除菌液散布装置１の第１槽壁部２６１側の端部を「後端部１ｂ」とし、その反対側の端部を「前端部１ｆ」として実施形態を説明する。更に、除菌液散布装置１の前端部１ｆ側を「除菌液散布装置１の前側」とし、その反対側を「除菌液散布装置１の後側」として実施形態を説明する。本実施形態において、後端部１ｂには、第１規制部材５１が設けられる。このため、後端部１ｂ側の開口１ａから送出される霧量は、前端部１ｆ側の開口１ａから送出される霧量よりも少ない。換言すると、前端部１ｆ側の開口１ａから送出される霧量は、後端部１ｂ側の開口１ａから送出される霧量よりも多い。なお、除菌液散布装置１の後端部１ｂは、第１側部の一例であり、除菌液散布装置１の前端部１ｆは、第２側部の一例である。
【００３４】
除菌液散布装置１が除菌液を散布すると、水槽２６に収容されている除菌液の水位（液面Ｌｓの高さ）が変動する。超音波によって霧を発生させる場合、超音波の節が液面Ｌｓに位置するように、液面Ｌｓの位置（水位）を調整する必要がある。
【００３５】
水位センサー２４は、除菌液の液面Ｌｓの位置を検知する。調整弁１５は、開閉可能である。調整弁１５が開状態である場合、供給管１３によって水が供給される。調整弁１５が閉状態である場合、供給管１３による水の供給が遮断される。調整弁１５は、水位センサー２４の検知結果に基づいて開閉して、超音波の節が液面Ｌｓに位置するように、供給管１３による水の供給を制御する。調整弁１５は、例えば電磁弁である。水位センサー２４は、例えばフロートスイッチである。水位センサー２４がフロートスイッチである場合、水位センサー２４は、超音波の節が液面Ｌｓに位置するか否かを検知する。詳しくは、水位センサー２４は、除菌液の水位が所定の水位であるか否かを検知する。所定の水位は、超音波の波長に応じて設定する。所定の水位は、例えば、振動面２３１から３０ｍｍ以上４０ｍｍ以下に調整される。
【００３６】
第１ガイド部材２５は、ガイド面２５１を有する。本実施形態において、第１ガイド部材２５の上面がガイド面２５１を形成する。ガイド面２５１は、略水平方向に延びる。ガイド面２５１は、開口１ａから送出された除菌液の霧を除菌液散布装置１の外部へ導く。
【００３７】
また、除菌液散布装置１は、規制部５を更に備える。規制部５は、除菌液が水槽２６の外に飛散することを規制する。詳しくは、規制部５は、液柱Ｌｐから落下する除菌液が水槽２６の外に飛散することを規制する。規制部５は、液柱Ｌｐに対して傾斜方向ＷＤ１の下流側に設けられる。
【００３８】
本実施形態において、規制部５は、第１規制部材５１を含む。第１規制部材５１は、側面視略矩形形状の板状の部材であって、規制面５１１及び裏面５１２を有する。規制面５１１は、第１規制部材５１が有する２つの主面のうち、液柱Ｌｐと対向する側の面である。裏面５１２は、規制面５１１とは反対側の面である。換言すると、裏面５１２は、第１規制部材５１が有する２つの主面うち、液柱Ｌｐから遠い側の面である。なお、除菌液散布装置１の左右方向において、第１規制部材５１の長さは、水槽２６の長さ以上、収容部２１の長さ未満である。左右方向における第１規制部材５１の長さが水槽２６の長さ以上であることにより、第１規制部材５１が除菌液に沈むことが抑制される。これにより、第１規制部材５１と液面Ｌｓとの間の隙間が確保される。
【００３９】
規制面５１１は、除菌液が水槽２６の外に飛散することを規制する。詳しくは、規制面５１１は、液柱Ｌｐから落下する除菌液が水槽２６の外に飛散することを抑制する。
【００４０】
第１規制部材５１は、規制面５１１が第１槽壁部２６１よりも内側となるように設けられる。換言すると、第１規制部材５１は、規制面５１１が水槽２６の外縁よりも内側となるように設けられる。本実施形態において、第１規制部材５１は、規制面５１１が液面Ｌｓに対して略直交するように配置される。
【００４１】
第１規制部材５１は、液面Ｌｓよりも上方に配置される。詳しくは、規制面５１１の下端が、液面Ｌｓよりも上方に位置する。本実施形態において、第１規制部材５１は、水槽２６の上端２６ｔよりも上方に配置される。したがって、水槽２６に収容される除菌液が満水になった場合であっても、第１規制部材５１と液面Ｌｓとの間に隙間が確保される。これにより、後端部１ｂ側の開口１ａから送出される霧量の低下を抑制できる。したがって、後端部１ｂ側の開口１ａから送出される霧量と前端部１ｆ側の開口１ａから送出される霧量との均一化を図ることができる。
【００４２】
第１規制部材５１は、下端５１ｕ及び上端５１ｔを有する。なお、下端５１ｕは、上端５１ｔよりも液面Ｌｓに近い。下端５１ｕは、液面Ｌｓよりも上方に位置する。本実施形態において、下端５１ｕは、水槽２６の上端２６ｔと接続する。詳しくは、下端５１ｕは、水槽２６が有する４つの槽壁部のうち、左右方向において対向する２つの槽壁部の上端２６ｔと接続する。上端５１ｔは、本体部１２１に接続する。上端５１ｔは、例えば、本体部１２１に固定される。
【００４３】
続いて図４を参照して、除菌液散布装置１について更に説明する。図４は、実施形態１に係る除菌液散布装置１のブロック図である。図４に示すように、除菌液散布装置１は、操作部３０、制御装置４０、及び第１電源装置４１〜第４電源装置４４を更に備える。
【００４４】
操作部３０は、ユーザーの操作を受け付ける。操作部３０は、ユーザーの操作に応じた信号を制御装置４０に送信する。操作部３０は、例えば、浴室の壁面、又は浴室に隣接する脱衣所の壁面に設置される。
【００４５】
本実施形態において、操作部３０は、除菌ボタン３１、停止ボタン３２、及びディスプレー３３を備える。また、操作部３０は、プロセッサ、半導体メモリー及びインターフェース回路を備える。プロセッサは、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）である。操作部３０は、半導体メモリーとして、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を備える。プロセッサは、半導体メモリーに記憶された制御プログラム（コンピュータプログラム）にしたがって、各種の処理を実行する。インターフェース回路は、操作部３０と制御装置４０との間の通信を実行する。
【００４６】
除菌ボタン３１は、除菌動作の開始を指示するボタンである。すなわち、ユーザーが除菌ボタン３１を押下すると、操作部３０は、除菌動作の開始を指示する信号を制御装置４０に送信する。制御装置４０が除菌動作の開始を指示する信号を受信すると、除菌液散布装置１は、所定の期間、除菌動作（除菌液散布処理）を実行する。
【００４７】
停止ボタン３２は、除菌動作の停止を指示するボタンである。すなわち、ユーザーが停止ボタン３２を押下すると、操作部３０は、除菌動作の停止を指示する信号を制御装置４０に送信する。制御装置４０が除菌動作の停止を指示する信号を受信すると、除菌液散布装置１は、除菌動作を開始してから所定の期間が経過する前であっても、除菌動作を停止する。
【００４８】
ディスプレー３３は、プロセッサによって制御されて、各種の情報を表示する。例えば、ディスプレー３３は、除菌液散布装置１が除菌動作を実行している場合、除菌動作が実行されていることを示すメッセージを表示する。また例えば、ディスプレー３３は、除菌動作が開始してから経過した時間、又は、除菌動作が終了するまでの残り時間を表示する。
【００４９】
制御装置４０は、除菌液散布装置１の動作を制御する。具体的には、制御装置４０は、プロセッサ、半導体メモリー、及びインターフェース回路を備える。プロセッサは、例えば、ＣＰＵ又はＭＰＵである。制御装置４０は、半導体メモリーとして、例えば、ＲＡＭ及びＲＯＭを備える。プロセッサは、半導体メモリーに記憶された制御プログラム（コンピュータプログラム）にしたがって、各種の処理を実行する。インターフェース回路は、制御装置４０と操作部３０との間の通信を実行する。本実施形態において、制御装置４０は、除菌動作の開始を指示する信号を操作部３０から受信すると、除菌動作が実行されるように、第１電源装置４１〜第４電源装置４４の動作を制御する。
【００５０】
第１電源装置４１は、制御装置４０によって制御されて、電極対２２を通電させる電圧を生成する。詳しくは、制御装置４０は、銀イオンの濃度が所定の濃度となるまで電極対２２が通電するように、第１電源装置４１を制御する。所定の濃度は、例えば、２ｐｐｍである。
【００５１】
第２電源装置４２は、制御装置４０によって制御されて、超音波発生素子２３を駆動させる電圧を生成する。この結果、超音波発生素子２３から超音波が発生する。
【００５２】
第３電源装置４３は、制御装置４０によって制御されて、ファンモータ１１２を駆動させる電圧を生成する。この結果、図２を参照して説明した複数枚の羽根１１１が回転して、除菌液の霧を送る風が発生する。なお、制御装置４０は、ファンモータ１１２の回転数を周期的に変化させて、送風装置１１の送風量を周期的に変化させることが好ましい。送風装置１１の送風量を変化させることで、除菌液の霧の飛散距離を変化させて、天井面ＣＳや壁面ＷＳにより均一に除菌液を付着させることができる。
【００５３】
第４電源装置４４は、制御装置４０によって制御されて、調整弁１５を駆動させる電圧を生成する。詳しくは、制御装置４０は、水位センサー２４の出力に基づき、除菌液の水位が所定の水位となるように第４電源装置４４を制御する。具体的には、除菌動作によって除菌液の水位が下がると、制御装置４０は、調整弁１５を開く。この結果、図２を参照して説明したように、収容部２１に供給管１３から水が供給される。また、制御装置４０は、除菌液の水位が所定の水位まで上昇すると、調整弁１５を閉じる。
【００５４】
続いて図４及び図５を参照して、制御装置４０が実行する処理の流れについて説明する。図５は、実施形態１に係る制御装置４０が実行する処理を示すフローチャートである。制御装置４０は、除菌動作の開始を指示する信号を操作部３０から受信すると、図５に示す処理を開始する。
【００５５】
図５に示すように、制御装置４０は、除菌動作の開始を指示する信号を受信すると、銀イオンの濃度が所定の濃度となるように電極対２２を通電させる（ステップＳ１）。
【００５６】
制御装置４０は、電極対２２を通電させた後、超音波発生素子２３から超音波を発生させる（ステップＳ２）。また、制御装置４０は、ファンモータ１１２を駆動して、除菌液の霧を送る風を発生させる（ステップＳ２）。この結果、図１を参照して説明した開口１ａから除菌液の霧が送出される。
【００５７】
制御装置４０は、除菌液の霧の送出を開始すると、水位センサー２４の出力に基づいて、除菌液の水位が所定の水位であるか否かを判定する（ステップＳ３）。
【００５８】
制御装置４０は、除菌液の水位が所定の水位であると判定すると（ステップＳ３のＹｅｓ）、除菌動作の開始を指示する信号を受信してから所定期間が経過したか否かを判定する（ステップＳ４）。
【００５９】
一方、制御装置４０は、除菌液の水位が所定の水位でないと判定すると（ステップＳ３のＮｏ）、除菌液の水位が所定の水位となるように調整弁１５を駆動する（ステップＳ５）。換言すると、制御装置４０は、図２を参照して説明したように、供給管１３から収容部２１に水を供給して、除菌液の水位を所定の水位まで上昇させる。
【００６０】
制御装置４０は、除菌液の水位が所定の水位まで上昇すると、調整弁１５を閉じた後、銀イオンの濃度が所定の濃度となるように電極対２２を通電させる（ステップＳ６）。制御装置４０は、電極対２２を通電させた後、除菌動作の開始を指示する信号を受信してから所定期間が経過したか否かを判定する（ステップＳ４）。
【００６１】
制御装置４０が、所定期間が経過していないと判定すると（ステップＳ４のＮｏ）、処理はステップＳ３の処理に戻る。一方、制御装置４０は、所定期間が経過していると判定すると（ステップＳ４のＹｅｓ）、超音波発生素子２３及びファンモータ１１２の駆動を停止させて、図５に示す処理を終了する。所定期間は、例えば、除菌液散布処理が開始されてから５分間以上１０分間以下である。
【００６２】
以上、実施形態１について説明した。本実施形態の除菌液散布装置１は、規制部５を備える。規制部５は、液柱Ｌｐに対して傾斜方向ＷＤ１の下流側に配置される。したがって、液柱Ｌｐから落下する除菌液が水槽２６の外へ飛散することが抑制される。
【００６３】
また、霧化効率を向上させるためには、除菌液の水位を所定の水位にする必要がある。換言すると、水槽２６を所定の深さ以上にする必要がある。図１を参照して説明したように、開口１ａは、天井面ＣＳよりも下方に設けられる。本実施形態では、水槽２６の上端２６ｔの位置を開口１ａよりも上方することにより、水槽２６の深さを確保する。しかしながら、水槽２６の上端２６ｔの位置が開口１ａよりも上方である構成において、水槽２６の外に除菌液が飛散すると、開口１ａから除菌液が漏れる虞がある。開口１ａから除菌液が漏れると、液漏れが発生したとユーザーが誤解する虞がある。あるいは、例えば、ユーザーの頭上に除菌液が落下することにより、ユーザーに不快感を与える。また、落下した除菌液が乾燥することにより、落下した箇所において、除菌液の濃度が高くなる。本実施形態によれば、規制部５は、水槽２６の外に除菌液が飛散することを抑制する。したがって、水槽２６の上端２６ｔが開口１ａよりも上方に位置した場合であっても、水槽２６の外へ除菌液が飛散することが抑制される。よって、除菌液散布装置１の外部へ除菌液が漏れることが抑制される。この結果、水漏れが発生したとユーザーに誤解させることが抑制される。また、例えば、ユーザーの頭上に除菌液が落下することにより、ユーザーに不快感を与えることが抑制される。更に、落下した除菌液が乾燥することにより、落下した箇所において、除菌液の濃度が高くなることが抑制される。
【００６４】
また、水槽２６を所定の深さ以上にする別の方法として、第２ユニット２０の天井面ＣＳからの突出量を増加させる方法がある。しかしながら、第２ユニット２０の天井面ＣＳからの突出量が増加すると、美観上好ましくない。本実施形態によれば、除菌液散布装置１は、天井面ＣＳからの突出量を抑制しつつ、水槽２６の深さを確保する。したがって、美観の低下を抑制できる。
【００６５】
また、本実施形態によれば、天井面ＣＳからの第２ユニット２０の突出量を抑制することにより、メンテナンスの作業効率の低下を抑制できる。
【００６６】
なお、本実施形態において、第１規制部材５１が、液面Ｌｓに対して略垂直に設けられたが、第１規制部材５１は、液面Ｌｓに対して略垂直に設けられる構成に限定されない。図６は、実施形態１に係る除菌液散布装置１の第１他例の断面図である。例えば、図６に示すように、第１規制部材５１は、液面Ｌｓに対して傾斜してもよい。詳しくは、第１規制部材５１は、規制面５１１が液面Ｌｓから離れるにつれて水槽２６の外側に向けて傾斜してもよい。換言すると、第１規制部材５１は、下端５１ｕが上端５１ｔよりも水槽２６の内側となるように傾斜してもよい。これにより、水槽２６の外に除菌液が飛散することが抑制される。
【００６７】
また、下端５１ｕが上端５１ｔよりも水槽２６の内側となるように、第１規制部材５１が傾斜することにより、上端５１ｔと液柱Ｌｐの頂点との間の距離を確保することができる。これにより、第１規制部材５１が霧の発生の妨げとなることが抑制される。したがって、霧化効率を向上させることができる。
【００６８】
また、下端５１ｕが上端５１ｔよりも水槽２６の内側となるように、第１規制部材５１が傾斜することにより、液柱Ｌｐから飛散した除菌液が規制面５１１を伝って水槽２６へ戻りやすくなる。したがって、水槽２６の外に除菌液が飛散することが抑制される。
【００６９】
また、第１規制部材５１は、下端５１ｕが水槽２６の中央部に位置するように傾斜することが好ましい。これにより、規制面５１１を伝って水槽２６に戻る除菌液が水槽２６の外に飛散することが更に抑制される。
【００７０】
また、規制面５１１が液面Ｌｓに対して傾斜する構成において、図７に示すように、送風装置１１は、第１規制部材５１の下端５１ｕに向かう風を発生させてもよい。図７は、実施形態１に係る除菌液散布装置１の第２他例の断面図である。図７に示すように、送風装置１１は、蓋体１２１ａのうち、第１規制部材５１が配置される側とは反対側に配置され、複数の羽根１１１の軸心ＲＸが液面Ｌｓに対して傾斜するように配置される。送風装置１１は、複数の羽根１１１が回転することにより、第１規制部材５１の下端５１ｕに向かう風を発生させる。この結果、液柱Ｌｐから発生した霧が後端部１ｂ側へ向けて流れる。これにより、後端部１ｂ側の開口１ａから送出される霧量の低下を抑制できる。よって、前端部１ｆ側の開口１ａから送出される霧量と後端部１ｂ側の開口１ａから送出される霧量との均一化を図ることができる。
【００７１】
また、図８に示すように、除菌液散布装置１は、空気流通部６を更に備えてもよい。図８は、実施形態１に係る除菌液散布装置１の第３他例の断面図である。空気流通部６は、第２ガイド部材６１を有する。第２ガイド部材６１は、第１規制部材５１の上方に配置されて、本体部１２１との間に空気流通路６２を形成する。
【００７２】
空気流通路６２には、送風装置１１から発生した風が流れる。空気流通路６２は、第１流通路６２１、第２流通路６２２、及び第３流通路６２３を含む。
【００７３】
第１流通路６２１は、除菌液散布装置１の上部に形成される。詳しくは、第１流通路６２１は、第２ガイド部材６１の上面と蓋体１２１ａの内壁面との間に形成される。第１流通路６２１は、水平方向に延びる。第１流通路６２１の一端は、送風装置１１の下方に設けられた空間と接続する。
【００７４】
第２流通路６２２は、下方に向けて延びる。第２流通路６２２の一端は、第１流通路６２１の他端と接続する。第２流通路６２２は、第２ガイド部材６１の側面と、壁部１２１ｂの内壁面との間に形成される。
【００７５】
第３流通路６２３は、下方に向けて延びる。第３流通路６２３の一端は、第２流通路６２２の他端と接続する。第３流通路６２３は、第１規制部材５１の裏面５１２と、壁部１２１ｂの内壁面との間に形成される。第３流通路６２３他端は、後端部１ｂ側の霧流通空間Ｓと連通する。したがって、送風装置１１が発生した風は、第１流通路６２１、第２流通路６２２、第３流通路６２３、及び後端部１ｂ側の霧流通空間Ｓを流れて、後端部１ｂ側の開口１ａから送出される。換言すると、送風装置１１から発生した風は、空気流通路６２を流れて後端部１ｂ側の開口１ａから送出される。送風装置１１から発生した風が空気流通路６２を流れると、ベンチュリ効果によって霧が空気流通路６２に引き込まれる。この結果、後端部１ｂ側の開口１ａから送出される霧量の低下を抑制できる。よって、前端部１ｆの開口１ａから送出される霧量と後端部１ｂ側の開口１ａから送出される霧量との均一化を図ることができる。なお、除菌液散布装置１が空気流通部６を備える構成である場合、本体部１２１の形状が異なってもよい。本体部１２１は、第１規制部材５１が配置される側の上部が外側に向けて突出してもよい。
【００７６】
また、図９に示すように、除菌液散布装置１は、逆戻規制部７を更に備えてもよい。図９は、実施形態１に係る除菌液散布装置１の第４他例の断面図である。図９に示すように、逆戻規制部７は、第１規制部材５１の裏面５１２から後端部１ｂ側へ向けて突出する。逆戻規制部７は、側面視略三角形状を有し、上面７１、及び傾斜面７２を有する。上面７１は、第１規制部材５１の裏面５１２から後端部１ｂ側に近づくにつれて液面Ｌｓに近づくように傾斜する。傾斜面７２は、上端が上面７１と接続する。傾斜面７２は、液面Ｌｓに近づくにつれて水槽２６の内側となるように傾斜する。除菌液散布装置１が逆戻規制部７を備えることにより、逆戻規制部７は、空気流通部６に引き込まれた霧が液面Ｌｓへ戻ることを規制する。
【００７７】
また、本実施形態において、第１規制部材５１の上端５１ｔが蓋体１２１ａに固定される構成を説明したが、上端５１ｔは、蓋体１２１ａに回転自在に支持されてもよい。換言すると、第１規制部材５１は、第１規制部材５１の上端５１ｔを中心として回転自在であってもよい。図２を参照して説明したように、第２ユニット２０は、第１ユニット１０に対して着脱自在である。したがって、第２ユニット２０を第１ユニット１０に装着させる場合において、第２ユニット２０を下方から上方へ移動させると、第１規制部材５１の下端５１ｕと水槽２６の上端２６ｔとが接触する。第１規制部材５１の下端５１ｕと水槽２６の上端２６ｔとが接触した状態において、第２ユニット２０を更に上方へ移動させると、第１規制部材５１が上端５１ｔを中心として回転する。これにより、第１規制部材５１が液面Ｌｓに対して傾斜する。したがって、第１規制部材５１と液面Ｌｓとの間の隙間を確実に確保することができる。この結果、後端部１ｂ側の開口１ａから送出される霧量の低下を抑制できる。したがって、前端部１ｆ側の開口１ａから送出される霧量と、後端部１ｂ側の開口１ａから送出される霧量との均一化を図ることができる。
【００７８】
また、図１０に示すように、除菌液散布装置１は、第２規制部材５２を更に備えてもよい。図１０は、本発明の実施形態１に係る除菌液散布装置１の第５他例の断面図である。図１０に示すように、第２規制部材５２は、水槽２６を挟んで第１規制部材５１と対向する。具体的には、第２規制部材５２は、複数枚の羽根１１１の軸心ＲＸを軸として、第１規制部材５１と線対称に設けられる。第２規制部材５２は、第１規制部材５１と同様に、液面Ｌｓから離れるにつれて水槽２６の外側に向けて傾斜する。なお、供給管１３は、第２規制部材５２に設けられた貫通孔を貫通する。第２規制部材５２は、水槽２６を挟んで第１規制部材５１と線対称に設けられることにより、送風装置１１から発生した風の流れが除菌液散布装置１の内部において均一化される。具体的には、送風装置１１の軸心ＲＸを挟んで空気の流れが対称になる。したがって、前端部１ｆの開口１ａから送出される霧量と後端部１ｂ側の開口１ａから送出される霧量との均一化を図ることができる。
【００７９】
また、本実施形態において、第１規制部材５１が板状部材である構成を説明したが、第１規制部材５１は、除菌液が水槽２６の外に飛散することを抑制できればよく、板状部材に限定されない。図１１は、実施形態１に係る除菌液散布装置１の第６他例の断面図である。例えば、図１１に示すように、第１規制部材５１は、両端に開口を有する中空の筒状部材であってもよい。筒状部材の開口は、液面Ｌｓから発生する液柱Ｌｐよりも大きい径を有する。筒状部材は、一方の開口が、液面Ｌｓから発生する液柱Ｌｐを内部に収容できる位置に設けられる。送風装置１１は、筒状部材の他方の開口と対向するように配置される。筒状部材は、液面Ｌｓに対して略垂直に設けられる。なお、筒状部材は、液面Ｌｓに対して傾斜して設けられてもよい。図１１に示す構成により、水槽２６の外に除菌液が飛散することが抑制される。
【００８０】
［実施形態２］
続いて図１２を参照して本発明の実施形態２について説明する。但し、実施形態１と異なる事項を説明し、実施形態１と同じ事項についての説明は割愛する。実施形態２は、収容部２１における水槽２６の位置が異なる。
【００８１】
図１２は、実施形態２に係る除菌液散布装置１の断面図である。図１２に示すように、水槽２６は、収容部２１の内部において、実施形態１で説明した水槽２６が配置される位置よりも傾斜方向ＷＤ１の下流側に配置される。詳しくは、水槽２６は、外縁の一部が本体部１２１と接触するように配置される。具体的には、水槽２６は、第１槽壁部２６１の外壁面が傾斜方向ＷＤ１の下流側に位置する壁部１２１ｂと接触するように収容部２１に配置される。換言すると、第１槽壁部２６１と収容部２１との間には、霧流通空間Ｓが形成されない。したがって、霧は、後端部１ｂ側の開口１ａの一部からのみ送出される。詳しくは、霧は、後端部１ｂ側の開口１ａのうち、第１槽壁部２６１と対向する開口１ａから送出されず、後端部１ｂ側の開口１ａのうち、第１槽壁部２６１と対向しない開口１ａから送出される。換言すると、本実施形態において、前端部１ｆ側の開口１ａから送出される霧量は、後端部１ｂ側の開口１ａから送出される霧量よりも多くなる。
【００８２】
送風装置１１は、蓋体１２１ａの中央部よりも傾斜方向ＷＤ１の下流側において、蓋体１２１ａに支持される。送風装置１１は、例えば、蓋体１２１ａのうち、液柱Ｌｐの頂点と対向する位置において、蓋体１２１ａに支持される。本実施形態において、複数枚の羽根１１１の軸心ＲＸは、上下方向に延びる。換言すると、送風装置１１から発生する風の向きは、液面Ｌｓに対して略直交する。
【００８３】
本実施形態において、規制部５は、本体部１２１の壁部１２１ｂによって構成され、規制面５１１は、壁部１２１ｂの壁面によって構成される。詳しくは、規制面５１１は、壁部１２１ｂの水槽２６と接触する側の内壁面のうち、水槽２６よりも上方の内壁面によって構成される。
【００８４】
以上、実施形態２について説明した。本実施形態によれば、水槽２６は、本体部１２１の壁部１２１ｂのうち、傾斜方向ＷＤ１の下流側に位置する壁部１２１ｂに接触し、壁部１２１ｂが規制部５を構成する。したがって、液柱Ｌｐが液面Ｌｓに対して傾斜して発生した場合であっても、除菌液が水槽２６の外へ飛散することが抑制される。
【００８５】
また、本実施形態によれば、規制面５１１は、本体部１２１の内壁面によって構成される。換言すると、規制部５は、本体部１２１（壁部１２１ｂ）によって構成される。したがって、除菌液散布装置１は、第１規制部材５１を備える構成と比べて、部品点数を削減することができる。よって、除菌液散布装置１の構成を簡略化できる。
【００８６】
なお、本実施形態において、複数枚の羽根１１１の軸心ＲＸが上下方向と一致する場合を説明したが、図１３に示すように、複数枚の羽根１１１の軸心ＲＸは、液面Ｌｓに対して傾斜してもよい。図１３は、実施形態２に係る除菌液散布装置１の他例の断面図である。図１３に示す構成において、複数枚の羽根１１１の軸心ＲＸは、送風装置１１が傾斜方向ＷＤ１と反対方向へ向かう風を発生するように傾斜する。換言すると、送風装置１１は、傾斜方向ＷＤ１と反対方向へ向かう風を発生するように配置される。この結果、霧の送出に寄与する風量が増加する。これにより、開口１ａから送出される霧量を増加させることができる。また、送風装置１１が傾斜方向ＷＤ１とは反対方向へ向かう風を発生させるように配置されることにより、液柱Ｌｐから飛散する除菌液が水槽２６の中央部に戻る。この結果、水槽２６の外に除菌液が飛散することが抑制される。
【００８７】
［実施形態３］
続いて図１４〜図１８を参照して本発明の実施形態３について説明する。但し、実施形態１〜２と異なる事項を説明し、実施形態１〜２と同じ事項についての説明は割愛する。実施形態３は、除菌液散布装置１が浴室環境調整装置１００に設置される点で実施形態１〜２と異なる。
【００８８】
図１４は、実施形態３に係る浴室環境調整装置１００の底面図である。なお、図１４に示す矢印は、除菌液散布装置１から送出される霧を示す。浴室環境調整装置１００は、例えば、浴室の天井部Ｃ（図１参照）に設置される。
【００８９】
図１４に示すように、浴室環境調整装置１００は除菌液散布装置１を備える。本実施形態の除菌液散布装置１は、実施形態２で説明した除菌液散布装置１と略同様の構成である。詳しくは、実施形態２を参照して説明したように、後端部１ｂ側の開口１ａから送出される霧量は、前端部１ｆ側の開口１ａから送出される霧量に比べて少ない。
【００９０】
浴室環境調整装置１００は、パネル１０１と、可動風向板１０２と、ミストノズル２０３とを備える。ミストノズル２０３については図１５を参照して後述する。本実施形態において、浴室環境調整装置１００は、ミストサウナ付きの浴室暖房乾燥装置である。
【００９１】
パネル１０１は、浴室の天井面ＣＳ（図１参照）から露出する。パネル１０１には、吸込み口１０３及び吹出し口１０４が形成されている。吸込み口１０３及び吹出し口１０４は横長矩形状に形成されている。以下、吸込み口１０３の長手方向を「浴室環境調整装置１００の左右方向」とし、吸込み口１０３の短手方向を「浴室環境調整装置１００の前後方向」として実施形態を説明する。浴室環境調整装置１００の前後方向において、吸込み口１０３は、吹出し口１０４と対向する。以下、吹出し口１０４が設けられる側を「除菌液散布装置１の前側」と記載し、その反対側を「除菌液散布装置１の後側」として実施形態を説明する。本実施形態において、浴室環境調整装置１００の左右方向において、吸込み口１０３の長さは、吹出し口１０４の長さと異なる。具体的には、浴室環境調整装置１００の左右方向において、吸込み口１０３の長さは、吹出し口１０４の長さよりも長い。
【００９２】
吹出し口１０４は、空気を浴室環境調整装置１００の前側に向けて吹き出す。換言すると、吹出し口１０４は、吸込み口１０３から離れる方向へ向けて空気を吹き出す。
【００９３】
可動風向板１０２は、吹出し口１０４に設けられる。可動風向板１０２は、吹出し口１０４に対応する形状を有する。可動風向板１０２は、吹出し口１０４に対して開閉自在である。本実施形態において、可動風向板１０２は回動自在であり、可動風向板１０２が回動することにより、吹出し口１０４から吹き出される風の向きを変更することができる。また、可動風向板１０２は、浴室環境調整装置１００が暖房運転、乾燥運転及びミストサウナ運転を停止している際に吹出し口１０４を閉塞し（覆い）、浴室環境調整装置１００が暖房運転、乾燥運転、又はミストサウナ運転を実行している際に吹出し口１０４を開放する。また、可動風向板１０２は、除菌液散布装置１が除菌運転している際に吹出し口１０４を開放している。なお、図１４は、可動風向板１０２が吹出し口１０４を閉塞している状態を示している。
【００９４】
浴室環境調整装置１００は、装着部１０５を更に備える。装着部１０５は、パネル１０１に設けられる。本実施形態において、装着部１０５は、吹出し口１０４と左右方向において並ぶように設けられる。具体的には、装着部１０５は、浴室環境調整装置１００の左右方向における吹出し口１０４の２つの端のうちの一方の外側に設けられる。また、装着部１０５は、吸込み口１０３よりも前側に設けられる。具体的には、浴室環境調整装置１００の左右方向における吸込み口１０３の２つの端のうちの一方よりも内側に設けられる。
【００９５】
装着部１０５は、装着口１０５ｈを含む。装着口１０５ｈは、パネル１０１に形成される開口１ａである。装着口１０５ｈには、除菌液散布装置１（第１ユニット１０）が装着される。除菌液散布装置１から送出された霧は、吹出し口１０４から吹き出される風によって、浴室環境調整装置１００の前側へ向けて散布される。
【００９６】
本実施形態において、除菌液散布装置１は、後端部１ｂが吸込み口１０３側となるように装着部１０５に装着される。換言すると、除菌液散布装置１は、前端部１ｆが浴室環境調整装置１００の前側となるように装着部１０５に装着される。なお、除菌液散布装置１が有する２つの側端部の一方は、吹出し口１０４側となる。実施形態２で説明したように、除菌液散布装置１の前端部１ｆ側の開口１ａから送出される霧量は、後端部１ｂ側の開口１ａから送出する霧量よりも多い。したがって、前端部１ｆが浴室環境調整装置１００の前側となるように装着部１０５に除菌液散布装置１が装着されることにより、除菌液散布装置１から送出された霧が吹出し口１０４から吹き出される風によって、浴室環境調整装置１００の前側へ向けて散布される。また、後端部１ｂが吸込み口１０３側となるように除菌液散布装置１が装着部１０５に装着されることにより、除菌液散布装置１から送出された霧が吸込み口１０３に吸い込まれることが抑制される。なお、除菌液散布装置１が有する２つの側端部の一方の側端部側から送出された霧は、吹出し口１０４から吹き出される風によって、浴室環境調整装置１００の前側へ向けて散布される。
【００９７】
続いて図１５を参照して、浴室環境調整装置１００（ミストサウナ付きの浴室暖房乾燥装置）の構成について説明する。図１５は、実施形態３に係る浴室環境調整装置１００の構成を示す図である。
【００９８】
図１５に示すように、浴室環境調整装置１００は、本体ユニット２００と、熱源機３００とを備える。本体ユニット２００は浴室の天井部Ｃに設置される。熱源機３００は屋外に設置される。なお、図１４を参照して説明したパネル１０１は、本体ユニット２００の外装部材として、本体ユニット２００に装着される。
【００９９】
熱源機３００は、暖房用の熱媒、及び給湯用水を加熱する。熱源機３００は、暖房用の熱媒を循環させる循環ポンプ３０２を備える。暖房用の熱媒は、例えば温水又は不凍液である。熱源機３００は供給路３０１に接続し、供給路３０１から供給される給湯用水を加熱する。
【０１００】
本体ユニット２００は、温水循環流路２０１と、ミスト用通水路２０２と、ミストノズル２０３と、暖房用熱交換器２０４と、ミスト用熱交換器２０５と、駆動装置２０６と、送風装置２１０と、制御装置２２０とを備える。なお、暖房用熱交換器２０４は、熱交換器の一例であり、送風装置２１０は、第２送風装置の一例である。
【０１０１】
温水循環流路２０１は、暖房用の熱媒を本体ユニット２００と熱源機３００との間で循環させる。具体的には、熱源機３００が備える循環ポンプ３０２が作動することにより、熱源機３００から流れ出た熱媒が温水循環流路２０１を流れる。詳しくは、熱媒は、暖房用熱交換器２０４及びミスト用熱交換器２０５をこの順に経由して、熱源機３００に戻る。
【０１０２】
ミスト用通水路２０２は、供給路３０１から分岐する通水路であり、ミスト用の水を通水する。ミスト用通水路２０２は、ミスト用熱交換器２０５を経由してミストノズル２０３に至るように配設されている。ミストノズル２０３は、ミスト用通水路２０２から供給される水をミスト化して浴室に噴霧する。
【０１０３】
本実施形態において、除菌液散布装置１の供給管１３は、供給路３０１から分岐する通水路であり、調整弁１５が開くことにより、供給路３０１から除菌液散布装置１の供給管１３に水が流入する。なお、供給路３０１から除菌液散布装置１の供給管１３に水を流入させる際には、ミスト用通水路２０２が水を通水しないように、ミスト用通水路２０２に設けられた電磁弁を閉める。
【０１０４】
暖房用熱交換器２０４は、可動風向板１０２及び除菌液散布装置１に対向する。暖房用熱交換器２０４は、吸込み口１０３に吸い込まれた空気を温風に変換する。ミスト用熱交換器２０５は、ミスト用通水路２０２を流れる水を温水に変換する。
【０１０５】
駆動装置２０６は、可動風向板１０２を所定の回転角度範囲内で回動させる。駆動装置２０６は、例えば電動モータである。駆動装置２０６が可動風向板１０２を回動させることにより、可動風向板１０２の姿勢が、図１４を参照して説明した吹出し口１０４を閉塞する姿勢から、吹出し口１０４を開く姿勢に変化する。また、可動風向板１０２の回転角度に応じて、浴室に供給される温風の送風方向が変化する。
【０１０６】
送風装置２１０は、風を発生させる風発生装置である。送風装置２１０は、回転ファン２１１と、ファンモータ２１２とを備える。ファンモータ２１２は、回転ファン２１１を回転させる。回転ファン２１１は、例えばシロッコファンである。
【０１０７】
回転ファン２１１が回転することにより、図１４を参照して説明した吸込み口１０３に空気が吸い込まれる。吸込み口１０３に吸い込まれた空気は、図１４を参照して説明した吹出し口１０４を可動風向板１０２が開放している場合、回転ファン２１１の回転により、暖房用熱交換器２０４を介して吹出し口１０４から吹き出す。また、可動風向板１０２が開放している場合、吸込み口１０３に吸い込まれた空気は、回転ファン２１１の回転により、暖房用熱交換器２０４を介して、除菌液散布装置１に向けて流れる。
【０１０８】
制御装置２２０は、浴室環境調整装置１００の運転制御を行う。具体的には、浴室環境調整装置１００の暖房動作、乾燥動作、及びミストサウナ動作を制御する。更に、制御装置２２０は、除菌液散布装置１の除菌動作を制御する。したがって、本実施形態において、除菌液散布装置１は、実施形態１において説明した制御装置４０を備えていない。
【０１０９】
制御装置２２０は、プロセッサ、及び半導体メモリーを備える。プロセッサは、例えば、ＣＰＵ又はＭＰＵである。制御装置４０は、半導体メモリーとして、例えば、ＲＡＭ及びＲＯＭを備える。プロセッサは、半導体メモリーに記憶された制御プログラム（コンピュータプログラム）にしたがって、各種の処理を実行する。
【０１１０】
続いて図１６を参照して、本体ユニット２００について更に説明する。図１６は、実施形態３に係る本体ユニット２００の一部を拡大して示す図である。詳しくは、図１６は、本体ユニット２００の一部を上方から見た図である。図１６に示すように、本体ユニット２００は、ホルダー２３０を更に備える。
【０１１１】
ホルダー２３０は、可動風向板１０２を回動可能に支持する。具体的には、可動風向板１０２は２つの回転軸１０２ａを備え、ホルダー２３０は２つの回転軸１０２ａを回動可能に支持する。２つの回転軸１０２ａの一方は、駆動装置２０６の出力軸と接続している。また、ホルダー２３０は除菌液散布装置１を支持する。具体的には、ホルダー２３０は、第１ユニット１０の本体部１２１を支持する。
【０１１２】
続いて図１７を参照して、実施形態３に係る浴室環境調整装置１００について説明する。図１７は、実施形態３に係る浴室環境調整装置１００の構成を示す図である。詳しくは、図１７は、浴室環境調整装置１００の風路を示す。
【０１１３】
図１７に示すように、本体部１２１の蓋体１２１ａは、蓋体１２１ａを貫通する貫通孔１２５を有する。換言すると、本実施形態に係る除菌液散布装置１は、実施形態１において説明した送風装置１１を備えていない。本実施形態では、除菌液の霧は、図１５を参照して説明した浴室環境調整装置１００の送風装置２１０を利用して散布される。
【０１１４】
続いて図１７を参照して、本体ユニット２００について更に説明する。図１７に示すように、本体ユニット２００は、第１固定風向板２０７を更に備える。第１固定風向板２０７は、暖房用熱交換器２０４から流れ出た風の向きを所定の方向（本実施形態では下方向）に整合させる。
【０１１５】
続いて図１８を参照して、浴室環境調整装置１００について更に説明する。図１８は、実施形態３に係る浴室環境調整装置１００のブロック図である。図１８に示すように、浴室環境調整装置１００は、操作部３０、及び第１電源装置４１、第２電源装置４２、及び第４電源装置４４に加え、第５電源装置４５を備える。
【０１１６】
操作部３０は、ユーザーの操作を受け付ける。操作部３０は、ユーザーの操作に応じた信号を制御装置２２０に送信する。操作部３０は、例えば、浴室の壁面、又は浴室に隣接する脱衣所の壁面に設置される。
【０１１７】
本実施形態において、操作部３０は、除菌ボタン３１、停止ボタン３２、ディスプレー３３、暖房ボタン３４、浴室乾燥ボタン３５、及びミストサウナボタン３６を備える。また、操作部３０は、プロセッサ、半導体メモリー及びインターフェース回路を備える。プロセッサは、例えば、ＣＰＵ又はＭＰＵである。操作部３０は、半導体メモリーとして、例えば、ＲＡＭ及びＲＯＭを備える。プロセッサは、半導体メモリーに記憶された制御プログラム（コンピュータプログラム）にしたがって、各種の処理を実行する。インターフェース回路は、操作部３０と制御装置２２０との間の通信を実行する。なお、制御装置２２０も、制御装置２２０と操作部３０との間の通信を実行するインターフェース回路を備えている。
【０１１８】
除菌ボタン３１は、除菌動作の開始を指示するボタンである。すなわち、ユーザーが除菌ボタン３１を押下すると、操作部３０は、除菌動作の開始を指示する信号を制御装置２２０に送信する。制御装置２２０が除菌動作の開始を指示する信号を受信すると、除菌液散布装置１は、所定の期間、除菌動作を実行する。
【０１１９】
停止ボタン３２は、各種の運転動作の停止を指示するボタンである。例えば暖房運転中にユーザーが停止ボタン３２を押下すると、操作部３０は、暖房動作（暖房運転）の停止を指示する信号を制御装置２２０に送信する。制御装置２２０が暖房動作の停止を指示する信号を受信すると、浴室環境調整装置１００は、暖房動作（暖房運転）を停止する。また、除菌動作中にユーザーが停止ボタン３２を押下すると、操作部３０は、除菌動作の停止を指示する信号を制御装置２２０に送信する。制御装置２２０が除菌動作の停止を指示する信号を受信すると、除菌液散布装置１は、除菌動作を開始してから所定の期間が経過する前であっても、除菌動作を停止する。
【０１２０】
ディスプレー３３は、プロセッサによって制御されて、各種の情報を表示する。例えば、ディスプレー３３は、現在実行中の運転動作を示すメッセージを表示する。また例えば、ディスプレー３３は、除菌動作が開始してから経過した時間、又は、除菌動作が終了するまでの残り時間を表示する。
【０１２１】
暖房ボタン３４は、暖房動作（暖房運転）の開始を指示するボタンである。すなわち、ユーザーが暖房ボタン３４を押下すると、操作部３０は、暖房動作の開始を指示する信号を制御装置２２０に送信する。制御装置２２０が暖房動作の開始を指示する信号を受信すると、浴室環境調整装置１００は、暖房動作（暖房運転）を実行する。
【０１２２】
浴室乾燥ボタン３５は、乾燥動作（乾燥運転）の開始を指示するボタンである。すなわち、ユーザーが浴室乾燥ボタン３５を押下すると、操作部３０は、乾燥動作の開始を指示する信号を制御装置２２０に送信する。制御装置２２０が乾燥動作の開始を指示する信号を受信すると、浴室環境調整装置１００は、乾燥動作（乾燥運転）を実行する。
【０１２３】
ミストサウナボタン３６は、ミストサウナ動作（ミストサウナ運転）の開始を指示するボタンである。すなわち、ユーザーがミストサウナボタン３６を押下すると、操作部３０は、ミストサウナ動作の開始を指示する信号を制御装置２２０に送信する。制御装置２２０がミストサウナ動作の開始を指示する信号を受信すると、浴室環境調整装置１００は、ミストサウナ動作（ミストサウナ運転）を実行する。
【０１２４】
本実施形態において、制御装置２２０は、除菌動作の開始を指示する信号を操作部３０から受信すると、図４を参照して説明した制御装置４０と同様に、第１電源装置４１、第２電源装置４２、及び第４電源装置４４の動作を制御することに加え、第５電源装置４５の動作を制御する。これにより、図５を参照して説明した処理が制御装置２２０によって実行される。
【０１２５】
第１電源装置４１は、制御装置２２０によって制御されて、電極対２２を通電させる電圧を生成する。詳しくは、制御装置２２０は、銀イオンの濃度が所定の濃度となるまで電極対２２が通電するように、第１電源装置４１を制御する。所定の濃度は、例えば、２ｐｐｍである。
【０１２６】
第２電源装置４２は、制御装置２２０によって制御されて、超音波発生素子２３を駆動させる電圧を生成する。この結果、超音波発生素子２３から超音波が発生する。
【０１２７】
第４電源装置４４は、制御装置２２０によって制御されて、調整弁１５を駆動させる電圧を生成する。詳しくは、制御装置２２０は、水位センサー２４の出力に基づき、除菌液の水位が所定の水位となるように第４電源装置４４を制御する。具体的には、除菌動作によって除菌液の水位が下がると、制御装置２２０は、調整弁１５を開く。この結果、図６を参照して説明したように、収容部２１に供給管１３から水が供給される。また、制御装置２２０は、除菌液の水位が所定の水位まで上昇すると、調整弁１５を閉じる。
【０１２８】
第５電源装置４５は、制御装置２２０によって制御されて、ファンモータ２１２を駆動させる電圧を生成する。この結果、図１５を参照して説明した回転ファン２１１が回転して、風が発生する。なお、制御装置２２０は、除菌動作中において、ファンモータ２１２の回転数を周期的に変化させて、送風装置２１０の送風量を周期的に変化させることが好ましい。送風装置２１０の送風量を変化させることで、除菌液の霧の飛散距離を変化させて、パネル１０１、天井面ＣＳ、及び壁面ＷＳに、より均一に除菌液を付着させることができる。
【０１２９】
以上、実施形態３について説明した。本実施形態によれば、浴室環境調整装置１００の送風装置２１０を利用して、除菌液の霧を送ることができる。これにより、除菌液散布装置１が送風装置を備える構成と比べて、送風装置の数を削減することができる。また、浴室環境調整装置１００の構成を簡略化できる。
【０１３０】
また、浴室環境調整装置１００の送風装置２１０は、実施形態１〜２で説明した送風装置１１よりも風量が大きい。したがって、本実施形態によれば、より大きい風量で霧を開口１ａから送出することができる。この結果、霧をより広範囲に拡散させることができる。
【０１３１】
また、本実施形態によれば、送風装置２１０と液柱Ｌｐとの間の距離をより広く確保できる。したがって、送風装置２１０に除菌液が付着することを抑制できる。
【０１３２】
また、浴室環境調整装置１００は、浴室の天井面ＣＳの中央部よりも壁面ＷＳ側に配置されることが多い。この場合において、浴室環境調整装置１００は、浴室を区画する壁面ＷＳのうち、浴室環境調整装置１００から最も遠い壁面ＷＳ側が、浴室環境調整装置１００の前側となるように設置されることが多い。本実施形態によれば、除菌液散布装置１の前端部１ｆが浴室環境調整装置１００の前側となるように、除菌液散布装置１が装着部１０５に装着される。換言すると、浴室環境調整装置１００の前側に向けて散布される霧量は、左右方向及び後方へ向けて散布される霧量よりも多い。したがって、除菌液の霧は、最も遠い壁面ＷＳまで送出される。この結果、浴室を区画する壁面ＷＳに対して除菌液を均一に付着させることができる。
【０１３３】
なお、図１９に示すように、除菌液散布装置１は、第２固定風向板１１３を更に備えてもよい。図１９は、実施形態３に係る浴室環境調整装置１００の他例を示す図である。第２固定風向板１１３は、貫通孔１２５の内部に配置される。第２固定風向板１１３は、例えば、送風装置２１０が発生した風が傾斜方向ＷＤ１とは反対方向へ向かうように配置される。換言すると、第２固定風向板１１３は、送風装置２１０から発生した風が第２槽壁部２６２側の霧流通空間Ｓへ向かうように配置される。したがって、霧の送出に寄与する風量を増加させることができる。この結果、開口１ａから送出される霧量を増加させることができる。また、第２固定風向板１１３が傾斜方向ＷＤ１とは反対方向へ向かう風を発生させるように配置されることにより、液柱Ｌｐから飛散する除菌液が水槽２６の中央部に戻る。この結果、水槽２６の外に除菌液が飛散することが抑制される。
【０１３４】
また、本実施形態において、浴室環境調整装置１００の左右方向における吹出し口１０４の端の外側に装着部１０５が設けられる場合を説明したが、装着部１０５が設けられる位置は、これに限定されない。例えば、図２０に示すように、装着部１０５は、浴室環境調整装置１００の前後方向において、吹出し口１０４と吸込み口１０３との間に設けられてもよい。図２０は、実施形態３に係る浴室環境調整装置１００の第１他例を示す底面図である。なお、図２０に示す矢印は、除菌液散布装置１から送出される霧を示す。図２０に示す浴室環境調整装置１００の構成において、除菌液散布装置１は、後端部１ｂが吸込み口１０３側となり、前端部１ｆが吹出し口１０４側となるように装着部１０５に装着されてもよい。浴室環境調整装置１００は、後端部１ｂが吸込み口１０３側となるように装着部１０５に除菌液散布装置１が装着されることにより、除菌液散布装置１から送出された霧が吸込み口１０３に吸い込まれることを抑制できる。また、浴室環境調整装置１００は、前端部１ｆが吹出し口１０４側となるように装着部１０５に除菌液散布装置１が装着されることにより、吹出し口１０４から吹き出される風によって、除菌液散布装置１から送出された霧を浴室環境調整装置１００の前側へ向けて散布することができる。
【０１３５】
また、図２１に示すように、装着部１０５は、吹出し口１０４を挟んで吸込み口１０３と対向する位置に設けられてもよい。換言すると、装着部１０５は、吹出し口１０４よりも浴室環境調整装置１００の前側に設けられてもよい。図２１は、実施形態３に係る浴室環境調整装置１００の第２他例を示す底面図である。なお、図２１に示す矢印は、除菌液散布装置１から送出される霧を示す。図２１に示す浴室環境調整装置１００の構成において、除菌液散布装置１は、前端部１ｆが浴室環境調整装置１００の前側となるように装着部１０５に装着されてもよい。これにより、吹出し口１０４から吹き出される風によって、除菌液散布装置１から送出された霧が浴室環境調整装置１００の前側へ向けて散布される。また、図２１に示す構成において、除菌液散布装置１は、後端部１ｂが浴室環境調整装置１００の吸込み口１０３側となるように装着部１０５に装着される。これにより、除菌液散布装置１から送出された霧が吸込み口１０３に吸い込まれることが抑制される。
【０１３６】
また、図２２に示すように、装着部１０５が２つの吹出し口１０４の間に設けられてもよい。図２２は、実施形態３に係る浴室環境調整装置１００の第３他例を示す底面図である。なお、図２２に矢印は、除菌液散布装置１から送出される霧を示す。図２２に示すように、浴室環境調整装置１００は、２つの吹出し口１０４を有する。図２２に示す浴室環境調整装置１００の構成において、除菌液散布装置１は、後端部１ｂが吸込み口１０３側となるように装着部１０５に装着されてもよい。これにより、除菌液散布装置１から送出された霧が吸込み口１０３に吸い込まれることが抑制できる。また、図２２に示す浴室環境調整装置１００の構成において、除菌液散布装置１は、前端部１ｆが浴室環境調整装置１００の前側となるように装着部１０５に装着される。これにより、吹出し口１０４から吹き出される風によって、除菌液散布装置１の前端部１ｆ側の開口１ａから送出された霧が浴室環境調整装置１００の前側へ向けて散布される。また、除菌液散布装置１は、２つの側端部の各々が吹出し口１０４側となるように装着部１０５に装着される。これにより、２つの側端部側の開口１ａから送出される霧が吹出し口１０４から吹き出される風によって、浴室環境調整装置１００の前側へ向けて散布される。したがって、浴室環境調整装置１００は、前側に向けて散布する霧量を増加させることができる。よって、霧をより広範囲に散布させることができる。霧が広範囲に拡散することにより、浴室内の霧の分布の均一化を図ることができる。
【０１３７】
また、本実施形態において、後端部１ｂが吸込み口１０３側となるように除菌液散布装置１が装着部１０５に装着される場合を説明したが、図２３に示すように、除菌液散布装置１は、前端部１ｆが吹出し口１０４側となるように装着部１０５に装着されてもよい。図２３は、実施形態３に係る浴室環境調整装置１００の第４他例を示す底面図である。なお、図２３に示す矢印は、除菌液散布装置１から送出される霧を示す。図２３に示す浴室環境調整装置１００によれば、一方の側端部側の開口１ａから送出された霧が浴室環境調整装置１００の前方へ向けて散布される。また、前端部１ｆ側の開口１ａから送出された霧の一部が吹出し口１０４から吹き出される風によって浴室環境調整装置１００の前側へ向けて散布される。したがって、浴室環境調整装置１００は、前側に向けて散布する霧量を増加させることができる。よって、霧をより広範囲に散布させることができる。霧が広範囲に拡散することにより、浴室内の霧の分布の均一化を図ることができる。
【０１３８】
なお、図２３に示す浴室環境調整装置１００の構成において、除菌液散布装置１は、側端部側の開口１ａを塞いでもよい。換言すると、開口１ａは、前端部１ｆ及び後端部１ｂにのみ設けられてもよい。これにより、前端部１ｆ側の開口１ａから送出される霧量を増加させることができる。したがって、浴室環境調整装置１００は、前側へ向けて散布する霧量を増加させることができる。よって、霧をより広範囲に散布させることができる。霧が広範囲に拡散することにより、浴室内の霧の分布の均一化を図ることができる。
【０１３９】
また、本実施形態において、装着部１０５は、吸込み口１０３の前側に設けられたが、図２４に示すように、装着部１０５は、吸込み口１０３の前側に設けられなくてもよい。図２４は、実施形態３に係る浴室環境調整装置１００の第５他例を示す底面図である。なお、図２４に示す矢印は、除菌液散布装置１から送出される霧を示す。
【０１４０】
図２４に示す浴室環境調整装置１００において、吸込み口１０３は、吹出し口１０４と前後方向において対向する。浴室環境調整装置１００の左右方向において、吸込み口１０３の長さは、吹出し口１０４の長さと略一致する。装着部１０５は、左右方向における吹出し口１０４の２つの端部の一方よりも外側に配置される。したがって、装着部１０５は、浴室環境調整装置１００の前後方向において、吸込み口１０３と対向しない。この構成において、除菌液散布装置１は、後端部１ｂが浴室環境調整装置１００の後側（吸込み口１０３側）となるように装着部１０５に装着される。換言すると、前端部１ｆが浴室環境調整装置１００の前側となるように装着部１０５に除菌液散布装置１が装着される。これにより、前端部１ｆ側の開口１ａから送出された霧が浴室環境調整装置１００の前側に向けて散布される。また、一方の側端部側の開口１ａから送出された霧が吹出し口１０４から吹き出される風によって、浴室環境調整装置１００の前側へ向けて送出される。したがって、浴室環境調整装置１００は、前側へ向けて散布する霧量を増加させることができる。よって、霧をより広範囲に散布させることができる。霧が広範囲に拡散することにより、浴室内の霧の分布の均一化を図ることができる。
【０１４１】
また、後端部１ｂが浴室環境調整装置１００の後側（吸込み口１０３側）となるように装着部１０５に装着されることにより、除菌液散布装置１から送出された霧が吸込み口１０３に吸い込まれることが抑制される。
【０１４２】
また、本実施形態において、浴室環境調整装置１００の制御装置２２０が除菌動作を制御する構成について説明したが、除菌液散布装置１が、実施形態１の除菌液散布装置１と同様に、制御装置４０を備えてもよい。また、本実施形態において、浴室環境調整装置１００はミストサウナ付きの浴室暖房乾燥装置であったが、浴室環境調整装置１００は、浴室暖房乾燥装置、浴室暖房装置、又は浴室乾燥装置であってもよい。
【０１４３】
また、本実施形態において、除菌液散布装置１が実施形態２で説明した除菌液散布装置１と略同一の構成である場合を説明したが、除菌液散布装置１は、実施形態１で説明した除菌液散布装置１と略同一の構成であってもよい。
【０１４４】
また、本実施形態において、除菌液散布装置１は、本体部１２１を備えたが、除菌液散布装置１は、本体部１２１を備えなくてもよい。本体部１２１は、本体ユニット２００又はパネル１０１に設けられた壁面によって構成される。
【０１４５】
［実施形態４］
続いて、図２５を参照して、本発明の実施形態４について説明する。但し、実施形態１〜３と異なる事項を説明し、実施形態１〜３と同じ事項についての説明は割愛する。実施形態４は、浴室環境調整装置１００が仕切り部材１０６を更に備える点で実施形態１〜３と異なる。本実施形態において、浴室環境調整装置１００が備える除菌液散布装置１は、実施形態１で説明した除菌液散布装置１と略同様の構成を有する。詳しくは、実施形態１で説明したように、前端部１ｆ側の開口１ａから送出される霧量は、後端部１ｂ側の開口１ａから送出される霧量よりも少ない。
【０１４６】
図２５は、実施形態４に係る浴室環境調整装置１００の底面図である。図２５に示すように、浴室環境調整装置１００は、仕切り部材１０６を備える。
【０１４７】
装着部１０５は、浴室環境調整装置１００の前後方向において、吹出し口１０４と略一致する位置に設けられる。また、装着部１０５は、浴室環境調整装置１００の左右方向において、吹出し口１０４の２つの端部のうちの一方の外側に設けられる。
【０１４８】
仕切り部材１０６は、除菌液散布装置１から送出された霧が吸込み口１０３に吸い込まれることを規制する。仕切り部材１０６は、例えば、側面視略矩形形状を有し、パネル１０１から下方に向けて突出する。
【０１４９】
仕切り部材１０６は、浴室環境調整装置１００の左右方向において、吸込み口１０３の２つの端部のうち、装着部１０５が設けられる側の端部の外側に設けられる。本実施形態において、仕切り部材１０６は、パネル１０１の後端部から前側へ向けて延びる。詳しくは、仕切り部材１０６は、吸込み口１０３の前端と吹出し口１０４の後端との間の位置まで延びる。したがって、除菌液散布装置１から送出された霧が吸込み口１０３に吸い込まれることが抑制される。
【０１５０】
以上、実施形態４について説明した。本実施形態によれば、除菌液散布装置１から送出された霧が吸込み口１０３に吸い込まれることが抑制される。したがって、浴室環境調整装置１００は、霧を四方へ散布できる。この結果、浴室環境調整装置１００は、霧の分布を均一化することができる。
【０１５１】
図２５に示す構成において、除菌液散布装置１は、２つの側端部のうちの一方が浴室環境調整装置１００の前側となるように配置される。また、除菌液散布装置１は、前端部１ｆが吹出し口１０４側となるように装着部１０５に装着される。これにより、前端部１ｆ側の開口１ａから送出された霧の一部が吹出し口１０４から吹き出される風によって、浴室環境調整装置１００の前側に吹き出される。したがって、浴室環境調整装置１００は、前側に向けて散布する霧量を増加させることができる。
【０１５２】
また、浴室環境調整装置１００は、浴室の天井面ＣＳの中央部よりも壁面ＷＳ側に配置されることが多い。この場合において、浴室環境調整装置１００は、浴室を区画する壁面ＷＳのうち、最も遠い壁面ＷＳ側が、浴室環境調整装置１００の前側となるように設置されることが多い。本実施形態によれば、浴室環境調整装置１００は、前側に向けて散布する霧量が増加させることができる。したがって、除菌液の霧は、最も遠い壁面ＷＳまで送出される。この結果、浴室を区画する壁面ＷＳに対して除菌液を均一に付着させることができる。
【０１５３】
なお、本実施形態において、除菌液散布装置１は、前端部１ｆが吹出し口１０４側となるように装着部１０５に装着されたが、図２６に示すように、除菌液散布装置１は、前端部１ｆが浴室環境調整装置１００の前側となるように装着部１０５に装着されてもよい。図２６は、実施形態４に係る浴室環境調整装置１００の第１他例を示す底面図である。図２６に示す浴室環境調整装置１００の構成において、除菌液散布装置１は、前端部１ｆが浴室環境調整装置１００の前側となるように装着部１０５に装着される。除菌液散布装置１は、２つの側端部のうちの他方が吹出し口１０４側となるように装着部１０５に装着される。２つの側端部のうちの他方側の開口１ａから送出された霧は、吹出し口１０４から吹き出される風によって、浴室環境調整装置１００の前側に吹き出される。したがって、浴室環境調整装置１００は、前側に向けて散布する霧量を増加させることができる。
【０１５４】
また、本実施形態において、装着部１０５は、浴室環境調整装置１００の前後方向において、吹出し口１０４と略一致するように設けられたが、図２７に示すように、装着部１０５は、吸込み口１０３と吹出し口１０４との間に配置されてもよい。図２７は、実施形態４に係る浴室環境調整装置１００の第２他例を示す底面図である。図２７に示す浴室環境調整装置１００によれば、除菌液散布装置１から送出された霧が吸込み口１０３に吸い込まれることが抑制される。したがって、浴室環境調整装置１００は、霧を四方へ散布できる。この結果、浴室環境調整装置１００は、霧の分布を均一化することができる。
【０１５５】
また、本実施形態において、除菌液散布装置１が実施形態１で説明した除菌液散布装置１と略同一の構成である場合を説明したが、除菌液散布装置１は、実施形態２で説明した除菌液散布装置１と略同一の構成であってもよい。
【０１５６】
［実施形態５］
続いて、図２８及び図２９を参照して、本発明の実施形態５について説明する。但し、実施形態１〜４と異なる事項を説明し、実施形態１〜４と同じ事項についての説明は割愛する。実施形態５は、浴室環境調整装置１００が除菌液散布動作に続いて、除菌液乾燥動作（除菌液乾燥処理）を実行する点で実施形態１〜４と異なる。
【０１５７】
図２８は、実施形態５に係る浴室環境調整装置１００の構成を示すブロック図である。図２８に示すように、制御装置２２０は、除菌動作の開始を指示する信号を操作部３０から受信すると、図１８を参照して説明した第１電源装置４１、第２電源装置４２、及び第４電源装置４４の動作を制御することに加え、図１５を参照して説明した熱源機３００を動作させる。詳しくは、制御装置２２０は、循環ポンプ３０２を作動させる。この結果、循環ポンプ３０２が作動して、熱源機３００から流れ出た熱媒が温水循環流路２０１を流れる。
【０１５８】
続いて図２９を参照して、制御装置２２０が実行する処理の流れについて説明する。図２９は、実施形態５に係る制御装置２２０が実行する処理を示すフローチャートである。図２９に示す処理は、制御装置２２０が除菌動作の開始を指示する信号を操作部３０から受信すると、開始される。
【０１５９】
図２９に示すように、制御装置２２０は、第１所定期間が経過していると判定すると（ステップＳ４のＹｅｓ）、除菌液乾燥動作を実行する。詳しくは、制御装置２２０は、電極対２２の通電を停止し、循環ポンプ３０２を作動させる（ステップＳ７）。なお、ファンモータ２１２の駆動は維持される。これにより、暖房用熱交換器２０４によって暖められた空気が送風装置２１０によって除菌液散布装置１の内部で流通する。次いで、制御装置２２０は、除菌液乾燥動作の実行を開始してから第２所定期間が経過したか否かを判定する（ステップＳ８）。第２所定期間が経過していないと制御装置２２０が判定すると（ステップＳ８；Ｎｏ）、処理は、ステップＳ７の処理に戻る。一方、制御装置２２０は、第２所定期間が経過していると判定すると（ステップＳ８；Ｙｅｓ）、ファンモータ２１２及び循環ポンプ３０２の駆動を停止させることにより、除菌液乾燥動作を終了して、図２９に示す処理を終了する。
【０１６０】
以上、実施形態５について説明した。本実施形態によれば、液柱Ｌｐから飛散して除菌液散布装置１の内部に付着した除菌液を乾燥させることができる。
【０１６１】
また、本実施形態によれば、図１８を参照して説明した除菌ボタン３１をユーザーが押下することにより、除菌液散布動作に加え、除菌液乾燥動作が続けて実行される。これにより、ユーザーの利便性が向上する。
【０１６２】
［実施形態６］
続いて、図３０及び図３１を参照して、本発明の実施形態６について説明する。但し、実施形態１〜５と異なる事項を説明し、実施形態１〜５と同じ事項についての説明は割愛する。実施形態６は、除菌液乾燥動作が実施形態１〜５と異なる。詳しくは、制御装置２２０は、除菌液散布装置１の内部の湿度及び浴室内の湿度に基づいて除菌液乾燥動作を終了するか否かを判定する。
【０１６３】
図３０は、実施形態６に係る浴室環境調整装置１００の構成を示すブロック図である。図３０に示すように、除菌液散布装置１は、湿度センサー１３０を更に備える。湿度センサー１３０は、湿度を示す信号を出力する。詳しくは、湿度センサー１３０は、第１湿度センサー１３１及び第２湿度センサー１３２を含む。第１湿度センサー１３１は、除菌液散布装置１の内部の湿度を示す信号を出力する。第２湿度センサー１３２は、浴室の内部の湿度を示す信号を出力する。制御装置２２０は、第１湿度センサー１３１及び第２湿度センサー１３２から出力される信号が示す湿度に基づいて、除菌液乾燥動作を終了する。詳しくは、制御装置２２０は、第１湿度センサー１３１が示す第１湿度と、第２湿度センサー１３２が示す第２湿度との差分に基づいて、除菌液乾燥動作を終了する。以下、第１湿度センサー１３１が示す第１湿度と、第２湿度センサー１３２が示す第２湿度との差分を「差分湿度」と記載する。
【０１６４】
図３１は、実施形態６に係る制御装置２２０が実行する処理を示すフローチャートである。図３１に示すように、制御装置２２０は、循環ポンプ３０２を作動させると（ステップＳ７）、差分湿度が第１閾値以下であるか否かを判定する（ステップＳ９）。なお、第１閾値は、例えば、ユーザーによって予め設定される。第１閾値は、例えば、５％である。
【０１６５】
差分湿度が第１閾値以下ではないと制御装置２２０が判定すると（ステップＳ９；Ｎｏ）、処理は、ステップＳ７へ戻る。一方、制御装置２２０は、差分湿度が第１閾値以下であると判定すると（ステップＳ９；Ｙｅｓ）、除菌液乾燥動作を終了して、図３１に示す処理を終了する。
【０１６６】
以上、実施形態６について説明した。本実施形態によれば、制御装置２２０は、差分湿度が第１閾値以下であると判定すると除菌液乾燥動作を終了する。したがって、除菌液散布装置１の内部に付着した除菌液を乾燥させることができる。
【０１６７】
なお、本実施形態において、制御装置２２０は、差分閾値が第１閾値以上であるか否かを判定し、差分閾値が第１閾値以上であると、除菌液乾燥動作を終了したが、制御装置２２０は、第１湿度が第２閾値未満であるか否かを判定し、第１湿度が第２閾値未満であると判定すると、除菌液乾燥動作を終了してもよい。第２閾値は、例えば、ユーザーによって予め設定される。
【０１６８】
［実施形態７］
続いて、図３２〜図３４を参照して、本発明の実施形態７について説明する。但し、実施形態１〜６と異なる事項を説明し、実施形態１〜６と同じ事項についての説明は割愛する。実施形態７は、除菌液乾燥動作が実施形態１〜６と異なる。
【０１６９】
図３２を参照して、実施形態７に係る除菌液散布装置１について説明する。図３２は、実施形態７に係る除菌液散布装置１の構成を示す断面図である。図３２に示すように、除菌液散布装置１は、送風装置１１と加熱部９１とを更に備える。送風装置１１は、実施形態１で説明した送風装置１１と略同様の構成である。本実施形態において、除菌液散布装置１は、加熱部９１を備える以外の構成は、実施形態１を参照して説明した除菌液散布装置１の構成と略同じである。本実施形態の送風装置１１は、除菌液散布装置１の内部において風を流通させる。本実施形態では、複数枚の羽根１１１は、蓋体１２１ａの中央部において支持される。また、複数枚の羽根１１１の軸心ＲＸは、上下方向に延びる。換言すると、送風装置１１が発生する風の向きは、液面Ｌｓに対して略直交する。
【０１７０】
加熱部９１は、除菌液散布装置１の内部の空気を加熱する。例えば、加熱部９１は、ペルチェ素子である。加熱部９１は、例えば、本体部１２１の蓋体１２１ａが有する壁面のうち、水槽２６と対向する壁面に配置される。加熱部９１が駆動すると、加熱部９１の周囲の空気が加熱され、加熱部９１によって加熱された空気が送風装置１１によって液面Ｌｓに向けて送られる。
【０１７１】
図３３は、実施形態７に係る浴室環境調整装置１００のブロック図である。図３３に示すように、浴室環境調整装置１００は、第１電源装置４１〜第５電源装置４５に加え、第３電源装置４３、及び第６電源装置４６を更に備える。なお、以下では、送風装置２１０のファンモータ２１２を「第１ファンモータ２１２」と記載し、送風装置１１のファンモータ１１２を「第２ファンモータ１１２」と記載する。
【０１７２】
第６電源装置４６は、制御装置４０によって制御されて、加熱部９１を駆動させる電圧を生成する。これにより、加熱部９１が駆動して、除菌液散布装置１の内部の空気が加熱される。この結果、加熱部９１によって加熱された空気が発生する。
【０１７３】
図３４は、実施形態７に係る制御装置２２０が実行する処理を示すフローチャートである。図３４に示すように、制御装置２２０は、第１所定期間が経過していると判定すると（ステップＳ４のＹｅｓ）、除菌液乾燥動作を実行する。詳しくは、制御装置２２０は、電極対２２の通電を停止し、第２ファンモータ１１２、循環ポンプ３０２、及び加熱部９１を駆動させる（ステップＳ１０）。なお、第１ファンモータ２１２の駆動は維持される。
【０１７４】
したがって、暖房用熱交換器２０４によって暖められた空気が加熱部９１によって更に加熱される。暖房用熱交換器２０４及び加熱部９１によって加熱された空気は、第２ファンモータ１１２及び第１ファンモータ２１２によって除菌液散布装置１の内部で流通する。次いで、制御装置２２０は、除菌液乾燥動作を開始してから第２所定期間が経過したか否かを判定する（ステップＳ８）。第２所定期間が経過していないと制御装置２２０が判定すると（ステップＳ８；Ｎｏ）、処理は、ステップＳ１０の処理に戻る。一方、制御装置２２０は、第２所定期間が経過していると判定すると（ステップＳ８；Ｙｅｓ）、第１ファンモータ２１２、第２ファンモータ１１２、循環ポンプ３０２、及び加熱部９１の駆動を停止させることにより、除菌液乾燥動作を終了して、図３４に示す処理を終了する。
【０１７５】
以上、実施形態７について説明した。本実施形態によれば、制御装置２２０は、浴室環境調整装置１００は、送風装置２１０及び送風装置１１を利用し、暖房用熱交換器２０４及び加熱部９１を利用して除菌液乾燥動作を実行する。したがって、除菌液散布装置１の内部に付着した除菌液を効率良く乾燥させることができる。この結果、除菌液乾燥動作に要する時間を短縮することができる。
【０１７６】
また、本実施形態において、除菌液散布装置１は、第１規制部材５１を備える。これにより、除菌液が浴室環境調整装置１００の内部に付着することを抑制できる。
【０１７７】
なお、本実施形態において、複数枚の羽根１１１の軸心ＲＸが液面Ｌｓに対して略直交したが、複数枚の羽根１１１の軸心ＲＸを液面Ｌｓに対して傾斜させてもよい。これにより、送風装置１１は、例えば、除菌液が付着しやすい箇所に向けて空気を送ることができる。この結果、除菌液を効率良く乾燥させることができる。
【０１７８】
また、本実施形態において、制御装置２２０は、加熱部９１及び暖房用熱交換器２０４を利用して除菌液乾燥動作を実行したが、制御装置２２０は、加熱部９１及び暖房用熱交換器２０４のうちの一方のみを利用して除菌液乾燥動作を実行してもよい。
【０１７９】
［実施形態８］
続いて、図３５を参照して、本発明の実施形態８について説明する。但し、実施形態１〜７と異なる事項を説明し、実施形態１〜７と同じ事項についての説明は割愛する。実施形態８は、除菌液乾燥動作が予備乾燥動作（予備乾燥処理）を含む点で実施形態１〜７と異なる。
【０１８０】
図３５は、本発明の実施形態８に係る制御装置２２０が実行する処理を示すフローチャートである。図３５に示すように、制御装置２２０は、第２所定期間が経過したと判定すると（ステップＳ８；Ｙｅｓ）、予備乾燥動作を実行する。詳しくは、制御装置２２０は、第２所定期間が経過したと判定すると（ステップＳ８；Ｙｅｓ）、第１ファンモータ２１２及び循環ポンプ３０２の駆動を停止させる。なお、制御装置２２０は、第２ファンモータ１１２（送風装置１１）及び加熱部９１の駆動を維持させる。換言すると、制御装置２２０は、加熱部９１によって加熱された空気を第２ファンモータ１１２によって除菌液散布装置１の内部に流通させる。次いで、制御装置２２０は、予備乾燥動作を実行してから第３所定期間が経過したか否かを判定する（ステップＳ１２）。第３所定期間は、例えば、１時間である。第３所定期間が経過していないと制御装置２２０が判定すると（ステップＳ１２；Ｎｏ）、処理は、ステップＳ１１へ戻る。一方、制御装置２２０は、第３所定期間が経過していると判定すると（ステップＳ１２；Ｙｅｓ）、第２ファンモータ１１２及び加熱部９１の駆動を停止させて、予備乾燥動作を終了することにより、図３５に示す処理を終了する。
【０１８１】
以上、実施形態８について説明した。本実施形態によれば、制御装置２２０は、予備乾燥動作を実行する。予備乾燥動作では、制御装置２２０は、第２ファンモータ１１２及び加熱部９１を駆動させることにより、除菌液散布装置１の内部に付着した除菌液を乾燥させることができる。
【０１８２】
また、本実施形態において、制御装置２２０は、予備乾燥動作において、第２ファンモータ１１２及び加熱部９１のみを駆動させる。したがって、省電力で除菌液散布装置１の内部に付着した除菌液を乾燥できる。
【０１８３】
［実施形態９］
図３６を参照して、本発明の実施形態９について説明する。但し、実施形態１〜８と異なる事項を説明し、実施形態１〜８と同じ事項についての説明は割愛する。実施形態９は、除菌液散布装置１が吸水素材９２を更に備える点で実施形態１〜８と異なる。図３６は、実施形態９に係る除菌液散布装置１の断面図である。
【０１８４】
図３６に示すように、除菌液散布装置１は、吸水素材９２を更に備える。吸水素材９２は、液柱Ｌｐから発生した除菌液を吸収する。吸水素材９２は、除菌液散布装置１の内部に配置される。具体的には、吸水素材９２は、本体部１２１の内壁面に設けられる。吸水素材９２は、スポンジのような多孔質体である。
【０１８５】
以上、実施形態９について説明した。本実施形態によれば、吸水素材９２は、液柱Ｌｐから飛散する除菌液を吸収することができる。これにより、除菌液散布装置１の内部に付着した除菌液の滴が肥大化することが抑制される。また、除菌液の滴の肥大化を抑制することにより、除菌液散布装置１の内部に付着した除菌液の落下を抑制できる。なお、吸水素材９２に吸収された除菌液は、例えば、送風装置１１によって乾燥される。また、除菌液散布装置１は、実施形態８で説明した加熱部９１を更に備えてもよい。加熱部９１は吸水素材９２に吸収された除菌液を乾燥させてもよい。この場合、加熱部材９１は、吸水素材９２の付近に配置されることにより、吸水素材９２が吸収した水分が効率よく蒸発される。
【０１８６】
以上、本発明の実施形態について図面を参照しながら説明した。但し、本発明は、上記の実施形態に限られるものではなく、その要旨を逸脱しない範囲で種々の態様において実施することが可能である。
【０１８７】
例えば、本発明による実施形態では、除菌液散布装置１が浴室の天井部Ｃに設置されたが、除菌液散布装置１は、浴室の壁面部に設置されてもよい。例えば、除菌液散布装置１は、壁面部の上部に設置され得る。
【０１８８】
また、本発明による実施形態では、水位センサー２４としてフロートスイッチを例示したが、水位センサー２４は、除菌液の水位を検知できる限り、特に限定されない。例えば、水位センサー２４として、測距センサー、又は重量センサーが用いられてもよい。
【０１８９】
また、本発明による実施形態では、ベース部材２３ｂが水槽２６の床面に配置されたが、ベース部材２３ｂは、水槽２６の床部の下方に配置され得る。この場合、水槽２６の床部は、開口を有する。ベース部材２３ｂは、水槽２６の床部の開口を塞ぐように、水槽２６の床部の下方に配置される。また、ベース部材２３ｂは、収容空間２３２が、水槽２６の床部の開口を介して水槽２６の内側空間と連通するように、水槽２６の床部の下方に配置される。
【０１９０】
また、各実施形態１〜９において説明した事項は、適宜組み合わせ可能である。例えば、実施形態３で説明した事項と、実施形態９で説明した事項とを組み合わせてもよい。
【産業上の利用可能性】
【０１９１】
本発明は、浴室を除菌する装置に有用である。
【符号の説明】
【０１９２】
１        除菌液散布装置
１ａ      開口
１ｂ      後端部
１ｆ      前端部
５        規制部
１１      送風装置（第１送風装置、第３送風装置）
１２      支持体
２１      収容部
２３      超音波発生素子
２６      水槽
２６ｔ    上端
４０      制御装置
５１      第１規制部材
５１ｕ    下端
９１      加熱部
９２      吸水素材
１００    浴室環境調整装置
１０３    吸込み口
１０４    吹出し口
１０５    装着部
１２１    本体部
２０４    暖房用熱交換器
２１０    送風装置（第２送風装置）
５１１    規制面
Ｌｐ      液柱
Ｌｓ      液面
【図１】
2020115938.tif 000003
【図２】
2020115938.tif 000004
【図３】
2020115938.tif 000005
【図４】
2020115938.tif 000006
【図５】
2020115938.tif 000007
【図６】
2020115938.tif 000008
【図７】
2020115938.tif 000009
【図８】
2020115938.tif 000010
【図９】
2020115938.tif 000011
【図１０】
2020115938.tif 000012
【図１１】
2020115938.tif 000013
【図１２】
2020115938.tif 000014
【図１３】
2020115938.tif 000015
【図１４】
2020115938.tif 000016
【図１５】
2020115938.tif 000017
【図１６】
2020115938.tif 000018
【図１７】
2020115938.tif 000019
【図１８】
2020115938.tif 000020
【図１９】
2020115938.tif 000021
【図２０】
2020115938.tif 000022
【図２１】
2020115938.tif 000023
【図２２】
2020115938.tif 000024
【図２３】
2020115938.tif 000025
【図２４】
2020115938.tif 000026
【図２５】
2020115938.tif 000027
【図２６】
2020115938.tif 000028
【図２７】
2020115938.tif 000029
【図２８】
2020115938.tif 000030
【図２９】
2020115938.tif 000031
【図３０】
2020115938.tif 000032
【図３１】
2020115938.tif 000033
【図３２】
2020115938.tif 000034
【図３３】
2020115938.tif 000035
【図３４】
2020115938.tif 000036
【図３５】
2020115938.tif 000037
【図３６】
2020115938.tif 000038